(57)【要約】【課題】螺合部材の本体部材に対する螺合を確実に維持することができ、液漏れを確実に防止することができる接続具及びその接続具が取り付けられた血液浄化装置を提供する。【解決手段】本体部材１と、透析液を流通させるためのホースＴ２を接続し得る接続部２ａが形成された継ぎ手部材２と、本体部材１と継ぎ手部材２との間に配設されてシール可能なシール部材３と、本体部材１のオネジ部１ｂと噛み合って螺合可能なメネジ部５ａが形成されるとともに、継ぎ手部材２に挿通させつつ当該本体部材１と螺合することで、シール部材３を介在させて本体部材１と継ぎ手部材２とを接続可能な螺合部材５とを具備した接続具において、螺合部材５と本体部材１との間に介在する弾性体から成るとともに、螺合部材５が本体部材１に螺合した状態で当該螺合部材５に対して弾力を付与し得る緩み防止部材６を備えたものである。【選択図】図２
2015027444.tif 000002
【特許請求の範囲】
【請求項１】
ネジ部が形成されるとともに、液体を流通させ得る本体部材と、
液体を流通させるためのホースを接続し得る接続部が形成された継ぎ手部材と、
前記本体部材と継ぎ手部材との間に配設されてシール可能なシール部材と、
前記本体部材のネジ部と噛み合って螺合可能なネジ部が形成されるとともに、前記継ぎ手部材に取り付けられつつ当該本体部材と螺合することで、前記シール部材を介在させて前記本体部材と継ぎ手部材とを接続可能な螺合部材と、
を具備した接続具において、
前記螺合部材と本体部材との間に介在する弾性体から成るとともに、前記螺合部材が前記本体部材に螺合した状態で当該螺合部材に対して弾力を付与し得る緩み防止部材を備えたことを特徴とする接続具。
【請求項２】
前記緩み防止部材は、前記本体部材又は螺合部材に取り付けられた円環状のゴム製部材又は樹脂製部材から成ることを特徴とする請求項１記載の接続具。
【請求項３】
前記緩み防止部材は、前記本体部材におけるネジ部の終端側の部位に取り付けられたことを特徴とする請求項１又は請求項２記載の接続具。
【請求項４】
前記継ぎ手部材及び本体部材の接触面には、当該本体部材及び継ぎ手部材が接続された状態で合致して周方向に嵌合し得る凹形状及び凸形状がそれぞれ形成されたことを特徴とする請求項１〜３の何れか１つに記載の接続具。
【請求項５】
前記本体部材は、液体を流通させるためのホースを接続し得る接続部が形成されるとともに、液体中の異物を捕捉し得るフィルタ部材が内部に配設されたことを特徴とする請求項１〜４の何れか１つに記載の接続具。
【請求項６】
請求項１〜５の何れか１つに記載の接続具が取り付けられて液体を流通させ得る流路を有することを特徴とする血液浄化装置。
【請求項７】
前記流路は透析液を流通させる透析液流路から成るとともに、当該透析液流路に前記接続具が取り付けられたことを特徴とする請求項６記載の血液浄化装置。
【請求項８】
請求項１〜５の何れか１つに記載の接続具が透析液を送液させる送液手段の弁部を構成することを特徴とする血液浄化装置。
【請求項９】
前記送液手段は、前記透析液流路に配設されて透析液を送液し得る定量ポンプから成るとともに、前記弁部は、チャッキ弁から成ることを特徴とする請求項８記載の血液浄化装置。
【発明の詳細な説明】
【技術分野】
【０００１】
本発明は、液体を流通させ得る本体部材と、液体を流通させるためのホースが接続可能とされた継ぎ手部材とを備える接続具及びその接続具が取り付けられた血液浄化装置に関するものである。
【背景技術】
【０００２】
血液浄化治療時に患者の血液を体外循環させるための血液回路は、通常、可撓性チューブ（ホース）から成る動脈側血液回路及び静脈側血液回路にて構成されており、当該動脈側血液回路及び静脈側血液回路のそれぞれの基端には、体外循環する血液を浄化するための血液浄化器（ダイアライザ等）が接続されるとともに、それぞれの先端には、患者に穿刺可能な動脈側穿刺針及び静脈側穿刺針が取り付けられている。
【０００３】
特に、血液透析治療を行う血液透析装置においては、血液浄化器（ダイアライザ）に透析液を導入するための透析液導入ライン、血液浄化器から排出された透析液を導出するための透析液導出ラインがそれぞれ接続されるとともに、所定濃度に調製された透析液を当該血液透析装置に供給するための透析液供給ラインが接続される透析装置本体（例えば監視装置）を具備している。そして、例えば透析液導入ライン及び透析液供給ラインの透析装置本体との接続部近傍には、透析液中の異物を捕捉し得るフィルタを具備した接続具が形成されている。
【０００４】
かかる従来の接続具は、透析液を流通させるためのホースを接続し得る接続部が形成されるとともに、透析液中の異物を捕捉し得るフィルタ部材が内部に配設された本体部材と、透析液を流通させるためのホースを接続し得る接続部が形成された継ぎ手部材と、本体部材と継ぎ手部材との間に配設されてシール可能なシール部材と、本体部材のネジ部と噛み合って螺合可能なネジ部が形成されるとともに、継ぎ手部材に取り付けられつつ当該本体部材と螺合することで、シール部材を介在させて本体部材と継ぎ手部材とを接続可能な螺合部材とを具備していた。なお、かかる先行技術は、文献公知発明に係るものでないため、記載すべき先行技術文献情報はない。
【発明の概要】
【発明が解決しようとする課題】
【０００５】
しかしながら、上記従来の接続具においては、ホースの透析装置本体に対する取り付け時やホースの取り回し時など、螺合部材が本体部材に対して外れる方向に力が作用してしまう虞があり、その場合、本体部材と継ぎ手部材との接続が緩んでしまうという不具合があった。また、長期間の使用により、例えば熱や振動等の影響によって本体部材と継ぎ手部材との接続が緩んでしまう虞もあった。しかして、本体部材と継ぎ手部材との接続が緩んでしまうと、シール部材によるシールが不良となり、液漏れが生じてしまうという問題があった。
【０００６】
本発明は、このような事情に鑑みてなされたもので、螺合部材の本体部材に対する螺合を確実に維持することができ、液漏れを確実に防止することができる接続具及びその接続具が取り付けられた血液浄化装置を提供することにある。
【課題を解決するための手段】
【０００７】
請求項１記載の発明は、ネジ部が形成されるとともに、液体を流通させ得る本体部材と、液体を流通させるためのホースを接続し得る接続部が形成された継ぎ手部材と、前記本体部材と継ぎ手部材との間に配設されてシール可能なシール部材と、前記本体部材のネジ部と噛み合って螺合可能なネジ部が形成されるとともに、前記継ぎ手部材に取り付けられつつ当該本体部材と螺合することで、前記シール部材を介在させて前記本体部材と継ぎ手部材とを接続可能な螺合部材とを具備した接続具において、前記螺合部材と本体部材との間に介在する弾性体から成るとともに、前記螺合部材が前記本体部材に螺合した状態で当該螺合部材に対して弾力を付与し得る緩み防止部材を備えたことを特徴とする。
【０００８】
請求項２記載の発明は、請求項１記載の接続具において、前記緩み防止部材は、前記本体部材又は螺合部材に取り付けられた円環状のゴム製部材又は樹脂製部材から成ることを特徴とする。
【０００９】
請求項３記載の発明は、請求項１又は請求項２記載の接続具において、前記緩み防止部材は、前記本体部材におけるネジ部の終端側の部位に取り付けられたことを特徴とする。
【００１０】
請求項４記載の発明は、請求項１〜３の何れか１つに記載の接続具において、前記継ぎ手部材及び本体部材の接触面には、当該本体部材及び継ぎ手部材が接続された状態で合致して周方向に嵌合し得る凹形状及び凸形状がそれぞれ形成されたことを特徴とする。
【００１１】
請求項５記載の発明は、請求項１〜４の何れか１つに記載の接続具において、前記本体部材は、液体を流通させるためのホースを接続し得る接続部が形成されるとともに、液体中の異物を捕捉し得るフィルタ部材が内部に配設されたことを特徴とする。
【００１２】
請求項６記載の発明は、請求項１〜５の何れか１つに記載の接続具が取り付けられて液体を流通させ得る流路を有することを特徴とする血液浄化装置である。
【００１３】
請求項７記載の発明は、請求項６記載の血液浄化装置において、前記流路は透析液を流通させる透析液流路から成るとともに、当該透析液流路に前記接続具が取り付けられたことを特徴とする。
【００１４】
請求項８記載の発明は、請求項１〜５の何れか１つに記載の接続具が透析液を送液させる送液手段の弁部を構成することを特徴とする血液浄化装置である。
【００１５】
請求項９記載の発明は、請求項８記載の血液浄化装置において、前記送液手段は、前記透析液流路に配設されて透析液を送液し得る定量ポンプから成るとともに、前記弁部は、チャッキ弁から成ることを特徴とする。
【発明の効果】
【００１６】
請求項１の発明によれば、螺合部材と本体部材との間に介在する弾性体から成るとともに、螺合部材が本体部材に螺合した状態で当該螺合部材に対して弾力を付与し得る緩み防止部材を備えたので、螺合部材の本体部材に対する螺合を確実に維持することができ、液漏れを確実に防止することができる。
【００１７】
請求項２の発明によれば、緩み防止部材は、本体部材又は螺合部材に取り付けられた円環状のゴム製部材又は樹脂製部材から成るので、既存の接続具に容易に適用することができるとともに、より確実に螺合部材の本体部材に対する螺合を維持することができる。
【００１８】
請求項３の発明によれば、緩み防止部材は、本体部材におけるネジ部の終端側の部位に取り付けられたので、螺合部材を本体部材に螺合させる過程において、当該螺合部材が螺合初期から緩み防止部材に達するまでの間の螺合作業を容易に行わせることができるとともに、螺合部材が緩み防止部材に達した螺合終期において当該緩み防止部材による弾力を生じさせ、当該螺合部材の本体部材に対する螺合を確実に維持することができる。
【００１９】
請求項４の発明によれば、継ぎ手部材及び本体部材の接触面には、当該本体部材及び継ぎ手部材が接続された状態で合致して周方向に嵌合し得る凹形状及び凸形状がそれぞれ形成されたので、螺合部材の本体部材に対する螺合をより確実に維持することができ、液漏れをより確実に防止することができる。
【００２０】
請求項５の発明によれば、本体部材は、液体を流通させるためのホースを接続し得る接続部が形成されるとともに、液体中の異物を捕捉し得るフィルタ部材が内部に配設されたので、本体部材の接続部に接続されたホースと継ぎ手部材の接続部に接続されたホースとの間で液体を流通させる過程において、フィルタ部材で液体中の異物を捕捉することができるとともに、液漏れを確実に防止することができる。
【００２１】
請求項６の発明によれば、血液浄化装置における流路の液漏れを確実に防止することができる。
【００２２】
請求項７の発明によれば、血液浄化装置における透析液流路の液漏れを確実に防止することができる。
【００２３】
請求項８の発明によれば、血液浄化装置における送液手段の弁部の液漏れを確実に防止することができる。
【００２４】
請求項９の発明によれば、血液浄化装置における定量ポンプのチャッキ弁の液漏れを確実に防止することができる。
【図面の簡単な説明】
【００２５】
【図１】本発明の実施形態に係る接続具を示す正面図
【図２】同接続具を示す縦断面図
【図３】同接続具を示す斜視図
【図４】同接続具における本体部材を示す正面図
【図５】同接続具を示す分解斜視図
【図６】同接続具における継ぎ手部材を示す正面図及び側面図
【図７】同接続具における継ぎ手部材を示す斜視図
【図８】同接続具が取り付けられる血液浄化装置を示す模式図
【図９】本発明の他の実施形態に係る接続具が適用される送液手段（往復動ポンプ）を示す外観図
【図１０】図９におけるＸ−Ｘ線断面図
【図１１】図９におけるＸＩ−ＸＩ線断面図
【図１２】同送液手段に係る接続具が適用された弁部を示す拡大図
【発明を実施するための形態】
【００２６】
以下、本発明の実施形態について図面を参照しながら具体的に説明する。
本実施形態に係る接続具は、例えば血液透析治療で用いられる透析装置本体に接続されるホース（可撓性チューブ）の途中に形成され、当該透析装置本体に供給される液体としての透析液及び当該透析装置本体に血液浄化器（ダイアライザ）から導出される透析液を流通させるとともに、その透析液中の異物を捕捉し得るものであり、図１〜７に示すように、本体部材１と、継ぎ手部材２と、シール部材３と、フィルタ部材４と、螺合部材５と、緩み防止部材６とから主に構成されている。
【００２７】
本体部材１は、透析液を流通させるためのホースＴ１（図１参照）を接続し得る接続部１ａが一端部に形成されるとともに、その反対側の端部（継ぎ手部材２が接続される端部側）にオネジ部１ｂが形成された樹脂製部材から成り、一端側と他端側との間で透析液を流通させ得るべく中空状に形成されている。また、本体部材１の内部には、流通する透析液中の異物を捕捉し得るフィルタ部４ａを有したフィルタ部材４が取り付けられている。
【００２８】
継ぎ手部材２は、透析液を流通させるためのホースＴ２（図１参照）を接続し得る接続部２ａが形成されるとともに、本体部材１が接続される部位にフランジ部ｆが一体形成されている。かかる継ぎ手部材２のフランジ部ｆには、当該継ぎ手部材２及び本体部材１が接続された状態で、本体部材１の接触面ａ（図４参照）と接触する円環状の接触面ｂが形成されているとともに、当該接触面ｂは、周方向に亘って凹形状と凸形状とが連続して複数形成された凹凸部２ｂを有している。
【００２９】
一方、本体部材１の接触面ａには、当該本体部材１及び継ぎ手部材２が接続された状態で凹凸部２ｂの凹形状と合致して周方向に嵌合し得る複数の凸形状１ｄ（図４、５参照）が一体形成されている。なお、本実施形態においては、継ぎ手部材２に凹形状及び凸形状が連続した凹凸部２ｂが形成され、そのうちの凹形状に本体部材１の凸形状１ｄが合致し得るよう構成されているが、本体部材１に凹形状及び凸形状が連続した凹凸部を形成し、そのうちの凹形状に合致する凸形状を継ぎ手部材２側に形成するようにしてもよい。
【００３０】
さらに、継ぎ手部材２は、本体部材１との接続側に取付面ｄを有しており、本体部材１及び継ぎ手部材２が接続された状態で、当該取付面ｄにフィルタ部材４の基端部４ｂが当接し得るようになっている。かかる継ぎ手部材２の取付部ｄには、凹凸形状が形成されており、本体部材１及び継ぎ手部材２が接続された状態で、当該凹凸形状がフィルタ部材４の基端部４ｂに形成された凹凸形状と合致し得るようになっている。
【００３１】
シール部材３は、本体部材１と継ぎ手部材２との間に配設されてシール可能な部材から成り、本実施形態においては、Ｏリングにて構成されている。具体的には、シール部材３は、図２に示すように、本体部材１の開口凹部ｇに取り付けられるとともに、継ぎ手部材２が接続された状態で、当該継ぎ手部材２に形成された押圧面ｃにて押圧され、本体部材１と継ぎ手部材２との間に介在してシール可能とされている。
【００３２】
螺合部材５は、中央に開口部５ｂを有した略ナット形状の樹脂製部材から成り、本体部材１のオネジ部１ｂと噛み合って螺合可能なメネジ部５ａが内周壁部に形成されるとともに、継ぎ手部材２に取り付けられつつ当該本体部材１と螺合することで、シール部材３を介在させて本体部材１と継ぎ手部材２とを接続可能なものである。すなわち、本体部材１の接触面ａに継ぎ手部材２の接触面ｂを接触させて組み付けた状態において、その継ぎ手部材２の接続部２ａ側に対して開口部５ｂを挿通させつつメネジ部５ａをオネジ部１ｂに噛み合わせて螺合させることで、継ぎ手部材２が本体部材１に対して軸方向（図２中右方向）に押圧されるので、押圧面ｃがシール部材３を押圧しつつフランジ部ｆが本体部材１における開口凹部ｇ側の端部に突き当てられて接続されるのである。
【００３３】
なお、オネジ部１ｂ及びメネジ部５ａから成るネジ部は、ネジの勾配角度を緩くする、或いは２条ネジではなく１条ネジとする等、緩み難いものとするのが好ましい。また、本実施形態においては、螺合部材５が略ナット形状に形成されているが、他の形状のものとしてもよく、その場合、螺合部材にオネジ部を形成し、そのオネジ部に噛み合うメネジ部を本体部材１に形成するようにしてもよい。
【００３４】
ここで、本実施形態に係る本体部材１には、緩み防止部材６を取り付けるための取付部１ｃが形成されている。かかる緩み防止部材６は、螺合部材５と本体部材１との間に介在する弾性体から成るとともに、螺合部材５が本体部材１に螺合（すなわち、本体部材１のオネジ部１ｂに螺合部材５のメネジ部５ａが噛み合って螺着）した状態で当該螺合部材５に対して弾力を付与し得るものである。すなわち、螺合部材５が本体部材１に螺合すると、当該螺合部材５の基端側（図２中左端側）の内周壁面が緩み防止部材６を圧縮することとなり、当該緩み防止部材６の弾力（復元力）が生じることとなるので、その弾力が螺合部材５の回転抵抗（特に、螺合を解く方向の回転抵抗）となって緩みを防止することができるのである。
【００３５】
また、本実施形態に係る緩み防止部材６は、本体部材１の取付部１ｃに取り付けられた円環状のゴム製部材（天然ゴム及び合成ゴムの何れであってもよい）から成るものとされているが、例えば螺合部材５に取り付けられた円環状のゴム製部材であってもよい。なお、緩み防止部材６は、円環状部材のゴム製部材に限らず、本体部材１又は螺合部材５に取り付けられ、本体部材１に螺合した状態で当該螺合部材５に対して弾力を付与し得るものであれば、ゴム製部材に限らず、例えば樹脂製部材（例えば軟質樹脂等）であってもよく、円環状以外の部材（例えば、Ｃ字状等の単一の部材、或いは本体部材１と螺合部材５との接合部に亘って複数の部材を配設したもの等）であってもよい。
【００３６】
またさらに、本実施形態に係る緩み防止部材６は、本体部材１におけるオネジ部１ｂの終端側の部位（図２においてオネジ部１ｂが形成された部位より左側の部位）に取り付けられている。すなわち、本体部材１の取付部１ｃは、オネジ部１ｂが形成された部位より当該オネジ部１ｂの終端側に形成されており、その取付部１ｃに緩み防止部材６が取り付けられているのである。なお、嵌合部材５のメネジ部５ａが本体部材１のオネジ部１ｂに噛み合い始める側をオネジ部１ｂの始端側と称し、その反対側（すなわち、嵌合が完了する側）をオネジ部１ｂの終端側と称するものとする。
【００３７】
上記実施形態によれば、螺合部材５と本体部材１との間に介在する弾性体から成るとともに、螺合部材５が本体部材１に螺合した状態で当該螺合部材５に対して弾力を付与し得る緩み防止部材６を備えたので、当該緩み防止部材６の弾力が螺合部材５の回転抵抗（特に、螺合を解く方向の回転抵抗）となって緩みを防止することとなり、螺合部材５の本体部材１に対する螺合を確実に維持することができ、液漏れを確実に防止することができる。
【００３８】
また、本実施形態に係る緩み防止部材６は、本体部材１又は螺合部材５に取り付けられた円環状のゴム製部材又は樹脂製部材から成るので、既存の接続具に容易に適用することができるとともに、より確実に螺合部材５の本体部材１に対する螺合を維持することができる。なお、本実施形態においては、緩み防止部材６は、本体部材１又は螺合部材５とは別体部材とされているが、例えば本体部材１又は螺合部材５にインサート成形等にて一体化されたものであってもよい。
【００３９】
さらに、本実施形態に係る緩み防止部材６は、本体部材１におけるオネジ部１ｂの終端側の部位に取り付けられたので、螺合部材５を本体部材１に螺合させる過程において、当該螺合部材５が螺合初期から緩み防止部材６に達するまでの間の螺合作業を容易に行わせることができるとともに、螺合部材５が緩み防止部材６に達した螺合終期（螺合がほぼ完了した状態）において緩み防止部材６による弾力を生じさせ、当該螺合部材５の本体部材１に対する螺合を確実に維持することができる。
【００４０】
またさらに、本実施形態によれば、本体部材１及び継ぎ手部材２の接触面ａ、ｂには、当該本体部材１及び継ぎ手部材２が接続された状態で合致して周方向に嵌合し得る凹形状及び凸形状がそれぞれ形成されたので、緩み防止部材６の弾力による回転抵抗に加えて凹形状及び凸形状の嵌合によって螺合部材５の緩む方向への回転を防止することができ、螺合部材５の本体部材１に対する螺合をより確実に維持することができ、液漏れをより確実に防止することができる。
【００４１】
また、本実施形態に係る本体部材１は、液体を流通させるためのホースＴ１を接続し得る接続部１ａが形成されるとともに、液体中の異物を捕捉し得るフィルタ部材４が内部に配設されたので、本体部材１の接続部１ａに接続されたホースＴ１と継ぎ手部材２の接続部２ａに接続されたホースＴ２との間で透析液（液体）を流通させる過程において、フィルタ部材４で透析液中の異物を捕捉することができるとともに、液漏れを確実に防止することができる。
【００４２】
次に、上記実施形態に係る接続具Ｋが取り付けられる血液浄化装置について説明する。
本実施形態に係る血液浄化装置は、患者に血液透析治療を施すための血液透析装置から成り、図８に示すように、血液ポンプ１０が配設されるとともにダイアライザ１１（血液浄化手段）に接続された血液回路９（動脈側血液回路及び静脈側血液回路）と、透析液導入ライン（Ｌ１ａ、Ｌ１ｂ、Ｌ１ｃ）及び透析液排出ライン（Ｌ２ａ、Ｌ２ｂ、Ｌ２ｃ）を有した透析装置本体１３とから主に構成されている。なお、図中符号１２は、血液回路９に接続されたエアトラップチャンバを示している。
【００４３】
ダイアライザ１１は、血液を浄化するためのもので、血液回路９を構成する動脈側血液回路及び静脈側血液回路とそれぞれ接続されるとともに、透析液導入ラインＬ１ｂ及び透析液排出ラインＬ２ｂとそれぞれ接続されており、血液ポンプ１０を駆動させることにより、動脈側穿刺針αから採取された患者の血液を血液回路９にて体外循環させ、ダイアライザ１１にて血液浄化及び除水した後、静脈側穿刺針βから患者に戻すようになっている。
【００４４】
透析液導入ラインＬ１ａは、所定濃度に調製された透析液を透析装置本体１３内に導入するための流路から成り、透析液導入ラインＬ１ｂは、透析装置本体１３内に導入された透析液をダイアライザ１１に導入するための流路から成る。そして、透析装置本体１３に透析液導入ラインＬ１ａ、Ｌ１ｂを接続すると、これら透析液導入ライン（Ｌ１ａ、Ｌ１ｂ）と当該透析装置本体１３内の配管を構成する透析液導入ラインＬ１ｃとが連通して透析液を流通させ得るようになっている。
【００４５】
また、透析液排出ラインＬ２ｂは、ダイアライザ１１からの透析液（透析排液）を透析装置本体１３内に排出するための流路から成り、透析液排出ラインＬ２ａは、透析装置本体１３内に排出された透析液を外部に排出するための流路から成る。そして、透析装置本体１３に透析液排出ラインＬ２ａ、Ｌ２ｂを接続すると、これら透析液排出ライン（Ｌ２ａ、Ｌ２ｂ）と当該透析装置本体１３内の配管を構成する透析液排出ラインＬ２ｃとが連通して透析液を流通させ得るようになっている。
【００４６】
さらに、透析装置本体１３内における透析液導入ラインＬ１ｃ及び透析液排出ラインＬ２ｃには、所定濃度に調製された透析液をダイアライザ１１に送液するとともに、当該ダイアライザ１１からの透析液（透析排液）を外部に排出させる送液手段としての複式ポンプ７（往復動ポンプ）が接続されている。なお、透析装置本体１３内には、バイパスラインや電磁弁が任意位置に複数配設されており、複式ポンプ７の排液側ポンプ室をバイパスさせるバイパスラインＬ３には、除水ポンプ８が接続されている。
【００４７】
ここで、本実施形態に係る接続具Ｋは、上記血液透析装置（血液浄化装置）が有する流路（液体を流通させ得る流路）に取り付けられるものとされており、具体的には、図８に示すように、透析液を流通させる透析液導入ラインＬ１ａ及び透析液排出ラインＬ２ｂにそれぞれ取り付けられている。これにより、血液透析装置（血液浄化装置）における透析液流路（透析液導入ラインＬ１ａ及び透析液排出ラインＬ２ｂ）の液漏れを確実に防止することができる。なお、接続具Ｋは、血液透析装置（血液浄化装置）が具備する他の流路（例えば透析液導入ラインＬ１ｂ又は透析液排出ラインＬ２ａ等）に取り付けるようにしてもよい。
【００４８】
次に、本発明に係る他の実施形態について説明する。
本実施形態に係る接続具は、透析液を送液させる送液手段の弁部を構成するもので、当該送液手段は、透析装置本体１３に配設され、透析液をダイアライザ１１（図８参照）に送液するとともに当該ダイアライザ１１からの排液を排出するための複式ポンプ７（定量ポンプ）から成る。かかる複式ポンプ７は、図９〜１２に示すように、給液側ポンプ室Ｐ１と、排液側ポンプ室Ｐ２と、給液側ポンプ室Ｐ１に透析液を吸入させ得る給液側吸込み口Ｃ１と、当該給液側ポンプ室Ｐ１の透析液を吐出させ得る給液側吐出口Ｃ２と、排液側ポンプ室Ｐ２に透析液を吸入させ得る排液側吸込み口Ｃ３と、当該排液側ポンプ室Ｐ２の透析液を吐出させ得る排液側吐出口Ｃ４と、駆動手段としてのモータＭと、往復動手段としてのプランジャ１４と、送液手段の弁部としてのチャッキ弁（Ｊ１〜Ｊ４）とから主に構成されている。
【００４９】
給液側ポンプ室Ｐ１は、プランジャ１４の往復動によって、給液側吸込み口Ｃ１から吸入した透析液（電解質から成る液体）を流通させて給液側吐出口Ｃ２から吐出させ得る所定容量の収容空間から成る。同様に、排液側ポンプ室Ｐ２は、プランジャ１４の往復動によって、排液側吸込み口Ｃ３から吸入した透析液を流通させて排液側吐出口Ｃ４から吐出させ得る所定容量の収容空間から成る。また、給液側吸込み口Ｃ１及び給液側吐出口Ｃ２は、それぞれ透析液導入ラインＬ１ｃを構成する配管に接続されているとともに、排液側吸込み口Ｃ３及び排液側吐出口Ｃ４は、それぞれ透析液排出ラインＬ２ｃを構成する配管に接続されている。
【００５０】
プランジャ１４は、モータＭによって給液側ポンプ室Ｐ１及び排液側ポンプ室Ｐ２に対して往復動可能とされるとともに、当該往復動によって、給液側吸込み口Ｃ１及び排液側吸込み口Ｃ３からそれぞれ給液側ポンプ室Ｐ１及び排液側ポンプ室Ｐ２内へ透析液を吸入し、その透析液を給液側吐出口Ｃ２及び排液側吐出口Ｃ４からそれぞれ吐出させ得るものである。
【００５１】
より具体的には、図１０、１１に示すように、モータＭの出力軸Ｍａには、カム部材１５が取り付けられているとともに、当該カム部材１５には、出力軸Ｍａの軸線と異なる位置（回転中心に対して偏心した位置）にカム部１５ａが突出形成されている。かかるカム部材１５は、モータＭが組みつけられた状態で、プランジャ１４に形成された凹部１４ａ内に位置するようになっている。また、カム部１５ａには、ブロックスライダ１６が取り付けられており、モータＭを駆動させると、当該ブロックスライダ１６がプランジャ１４を長手方向に押圧することとなり、図１０中左右方向に往復動させるようになっている。
【００５２】
チャッキ弁（Ｊ１、Ｊ２）は、透析液の流れを一方向（図１１中上向き）に保ち逆流を防止する機能を有する非導通性のバルブ（絶縁材料から成るバルブ）から成り、給液側ポンプ室Ｐ１と給液側吸込み口Ｃ１側の流路及び給液側吐出口Ｃ２側の流路との間にそれぞれ配設され、プランジャ１４の往復動に伴って生じる給液側ポンプ室Ｐ１内の液圧の変化に応じて開閉可能とされるとともに、開状態で透析液の流通を許容し、且つ、閉状態で透析液の流通を遮断するよう構成されている。
【００５３】
同様に、チャッキ弁（Ｊ３、Ｊ４）は、透析液の流れを一方向（図１１中上向き）に保ち逆流を防止する機能を有する非導通性のバルブ（絶縁材料から成るバルブ）から成り、排液側ポンプ室Ｐ２と排液側吸込み口Ｃ３側の流路及び排液側吐出口Ｃ４側の流路との間にそれぞれ配設され、プランジャ１４の往復動に伴って生じる排液側ポンプ室Ｐ１内の液圧の変化に応じて開閉可能とされるとともに、開状態で透析液の流通を許容し、且つ、閉状態で透析液の流通を遮断するよう構成されている。
【００５４】
しかして、モータＭを駆動させると、プランジャ１４が図中左側に変位して排液側ポンプ室Ｐ２側の端部（変位端）に達する過程において、給液側吸込み口Ｃ１側のチャッキ弁Ｊ１及び排液側吐出口Ｃ４側のチャッキ弁Ｊ４が開状態とされるとともに、給液側吐出口Ｃ２側のチャッキ弁Ｊ２及び排液側吸込み口Ｃ３側のチャッキ弁Ｊ３が閉状態とされる。そして、プランジャ１４が図中左端（変位端）に達すると、全てのチャッキ弁（Ｊ１〜Ｊ４）が閉状態とされる。
【００５５】
その後、プランジャ１４が図中右側に変位して給液側ポンプ室Ｐ１側の端部（変位端）に達する過程において、給液側吐出口Ｃ２側のチャッキ弁Ｊ２及び排液側吸込み口Ｃ３側のチャッキ弁Ｊ３が開状態とされるとともに、給液側吸込み口Ｃ１側のチャッキ弁Ｊ１及び排液側吐出口Ｃ４側のチャッキ弁Ｊ４が閉状態とされる。そして、プランジャ１４が図中右端（変位端）に達すると、全てのチャッキ弁（Ｊ１〜Ｊ４）が閉状態とされる。以降、プランジャ１４の往復動に伴って、上記と同様なチャッキ弁（Ｊ１〜Ｊ４）の開閉が行われる。
【００５６】
ここで、本実施形態に係る接続具は、図１２で示すように、ネジ部１７ａが形成された本体部材１７と、液体を流通させるためのホースを接続し得る接続部１８ａが形成された継ぎ手部材１８と、本体部材１７と継ぎ手部材１８との間に配設されてシール可能なシール部材１９と、本体部材１７のネジ部１７ａと噛み合って螺合可能なネジ部２０ａが形成されるとともに、継ぎ手部材１８に取り付けられつつ当該本体部材１７と螺合することで、シール部材１９を介在させて本体部材１７と継ぎ手部材１８とを接続可能な螺合部材２０と、螺合部材２０と本体部材１７との間に介在する弾性体から成るとともに、螺合部材２０が本体部材１７に螺合した状態で当該螺合部材２０に対して弾力を付与し得る緩み防止部材２１を備えた接続具とされる。
【００５７】
上記実施形態によれば、血液透析装置（血液浄化装置）における送液手段の弁部の液漏れを確実に防止することができる。具体的には、本実施形態に係る接続具は、透析液を送液させる定量ポンプ（複式ポンプ）のチャッキ弁Ｊ１〜Ｊ４（弁部）を構成するので、血液透析装置（血液浄化装置）における定量ポンプのチャッキ弁の液漏れを確実に防止することができる。なお、本実施形態に係る接続具は、チャッキ弁Ｊ１〜Ｊ４の全てに適用されているが、チャッキ弁Ｊ１〜Ｊ４の何れかに適用するようにしてもよい。
【００５８】
以上、本実施形態について説明したが、本発明はこれに限定されず、ネジ部が形成されるとともに、液体を流通させ得る本体部材と、液体を流通させるためのホースを接続し得る接続部が形成された継ぎ手部材と、本体部材と継ぎ手部材との間に配設されてシール可能なシール部材と、本体部材のネジ部と噛み合って螺合可能なネジ部が形成されるとともに、継ぎ手部材に取り付けられつつ当該本体部材と螺合することで、シール部材を介在させて本体部材と継ぎ手部材とを接続可能な螺合部材と、螺合部材と本体部材との間に介在する弾性体から成るとともに、螺合部材が本体部材に螺合した状態で当該螺合部材に対して弾力を付与し得る緩み防止部材を備えた接続具であれば、他の形態の接続具にも適用することができる。
【００５９】
さらに、本実施形態に係る緩み防止部材（６、２１）は、本体部材（１、１７）におけるネジ部の終端側の部位に取り付けられているが、螺合部材（５、２０）と本体部材（１、１７）との間に介在する弾性体から成るとともに、螺合部材（５、２０）が本体部材（１、１７）に螺合した状態で当該螺合部材（５、２０）に対して弾力を付与し得るものであれば、他の部位に取り付けられたものであってもよい。また、本実施形態（他の実施形態を除く）においては、本体部材１及び継ぎ手部材２の接触面（ａ、ｂ）には、当該本体部材１及び継ぎ手部材２が接続された状態で合致して周方向に嵌合し得る凹形状及び凸形状がそれぞれ形成されているが、これら凹形状及び凸形状を具備しないものとしてもよい。
【００６０】
またさらに、他の実施形態の如く本体部材内にフィルタ部材を具備しないものとしてもよく、他の機能を果たす部材（センサ等）が本体部材内に配設されたものであってもよい。なお、本実施形態においては、流通させる液体が透析液とされているが、他の液体を流通させるものであってもよい。
【産業上の利用可能性】
【００６１】
ネジ部が形成されるとともに、液体を流通させ得る本体部材と、液体を流通させるためのホースを接続し得る接続部が形成された継ぎ手部材と、本体部材と継ぎ手部材との間に配設されてシール可能なシール部材と、本体部材のネジ部と噛み合って螺合可能なネジ部が形成されるとともに、継ぎ手部材に取り付けられつつ当該本体部材と螺合することで、シール部材を介在させて本体部材と継ぎ手部材とを接続可能な螺合部材とを具備した接続具において、螺合部材と本体部材との間に介在する弾性体から成るとともに、螺合部材が本体部材に螺合した状態で当該螺合部材に対して弾力を付与し得る緩み防止部材を備えた接続具及びその接続具が取り付けられた血液浄化装置であれば、外観形状が異なるもの或いは他の機能が付加されたもの等にも適用することができる。
【符号の説明】
【００６２】
１  本体部材
２  継ぎ手部材
３  シール部材
４  フィルタ部材
５  螺合部材
６  緩み防止部材
７  複式ポンプ（送液手段）
８  除水ポンプ
９  血液回路
１０  血液ポンプ
１１  ダイアライザ
１２  エアトラップチャンバ
１３  透析装置本体
１４  プランジャ
１５  カム部材
１６  ブロックスライダ
１７  本体部材
１８  継ぎ手部材
１９  シール部材
２０  螺合部材
２１  緩み防止部材
【図１】
2015027444.tif 000003
【図２】
2015027444.tif 000004
【図３】
2015027444.tif 000005
【図４】
2015027444.tif 000006
【図５】
2015027444.tif 000007
【図６】
2015027444.tif 000008
【図７】
2015027444.tif 000009
【図８】
2015027444.tif 000010
【図９】
2015027444.tif 000011
【図１０】
2015027444.tif 000012
【図１１】
2015027444.tif 000013
【図１２】
2015027444.tif 000014